(57)【要約】【課題】少ない洗浄液で効率的な洗浄が可能となり、作業者のレンジフードへの給水作業を低減することができるレンジフードを提供する。【解決手段】給気ユニット２２と排気ユニット２および外気集塵部４０を備え、外気集塵部４０のプレフィルタ４１と給気ファン２６を洗浄した後、洗浄液を排気ファン１１の洗浄に用いることで、洗浄液を効果的に運用した洗浄が可能となり、作業者の給水やメンテナンスを大幅に削減させたレンジフードを提供できる。【選択図】図４
2018063057.tif 000002
【特許請求の範囲】
【請求項１】
本体上部に備え屋外へ連通する排気口および給気口と、
室内に連通する上部開口部および下部開口部と、
排気ファンを配置し前記下部開口部から室内の空気を吸引し、第１の通風路を通じて前記排気口から空気を排出する排気ユニットと、
給気ファンを配置し前記給気口から外気を導入し、第２の通風路を通じて前記上部開口から室内に供給する給気ユニットと、
前記上部開口の上流側において前記第２の通風路を横断する外気集塵部とを備えた給排気機能を持つレンジフードであって、
前記排気ユニットには、前記排気ファンに加えて、排気ファンケーシングと、排気ファン洗浄ケーシングと、排気ファン給水手段と、排気ファン排液弁と、排気ファン排液貯留手段とを備え、
前記給気ユニットには、前記給気ファンに加えて、給気ファンケーシングと、給気ファン洗浄ケーシングと、給気ファン給水手段と、給気ファン排液弁と、給気ファン排液手段とを備え、
前記外気集塵部はメインフィルタとプレフィルタからなり、少なくとも前記プレフィルタは前記給気ファン洗浄ケーシング内に配置され、
前記給気ファン排液手段から前記排気ファン洗浄給水手段へ洗浄液が供給されることを特徴とする給排気機能を持つレンジフード。
【請求項２】
前記給気ファンケーシングの下流にある給気流出口を前記給気ファンより高い位置に配置した請求項１記載のレンジフード。
【請求項３】
前記給気ファン給水手段と、前記給気ファンと、前記給気ファン排液弁と、前記排気ファン給水手段と、前記排気ファンと、前記排気ファン排液弁とを制御する第一の制御部を備え、
前記制御部は前記給気ファン給水手段からの洗浄液で前記給気ファンを洗浄しながら即座に前記排気ファン排液貯留手段へ洗浄液を輸送する第一の洗浄モードと、前記給気ファン給水手段からの洗浄液で前記給気ファンのみを洗浄する第二の洗浄モードと、前記排気ファン給水手段からの洗浄液で前記排気ファンのみを洗浄する第三の洗浄モードと排液モードを有し、
前記第一の洗浄モードでは、
前記第一の制御部は前記給気ファン排液弁を開とし、前記給気ファンを回転させ、前期給水手段から洗浄液を給水する一方で、前記排気ファン給水手段を流通させ、前記排気ファン排液弁を開とし、
前記第二の洗浄モードでは、
前記第一の制御部は前記給気ファン排液弁を閉とし、前記給気ファンを回転させ、前記給気ファン給水手段から洗浄液を給水し、
前記第三の洗浄モードでは、
前記第一の制御部は前記排気ファン排液弁を閉とし、前記排気ファンを回転させ、前記排気ファン給水手段を流通させ、前記給気ファン排液弁を開にすることで洗浄液を給水することを特徴とする請求項１に記載のレンジフード。
【請求項４】
前記外気集塵部の目詰まり状態を検知する外気集塵部目詰まりセンサと、外気集塵部お手入れ表示手段と、第二の制御部を設け、
前期第二の制御部は、前記外気集塵部目詰まりセンサと、前記給気ファン給水手段と、前記給気ファンと、前記給気ファン排液弁と、前記排気ファン給水手段と、前記第二の排気ファン給水手段と、前記排気ファンと、前記排気ファン排液弁と、外気集塵部お手入れ表示手段を制御し、外気捕集部目詰まりセンサの出力に応じて、
前記給気ファンとプレフィルタの洗浄後に前記排気ファンを洗浄する前記第一から第三の洗浄モードと、前記排気ファンのみを洗浄する洗浄モードを有し、
前記給気ファンとプレフィルタの洗浄後に排気ファンを洗浄する場合には
前記第一の洗浄モードでは、前記第一の制御部は前記給気ファン排液弁を開とし、前記給気ファンを回転させ、前期給水手段から洗浄液を給水する一方で、前記排気ファン給水手段を流通させ、前記排気ファン排液弁を開とし、
前記第二の洗浄モードでは、前記第一の制御部は前記給気ファン排液弁を閉とし、前記給気ファンを回転させ、前記給気ファン給水手段から洗浄液を給水し、
前記第三の洗浄モードでは、前記第一の制御部は前記排気ファン排液弁を閉とし、前記排気ファンを回転させ、前記排気ファン給水手段を流通させ、前記給気ファン排液弁を開にすることで洗浄液を給水し、
前記排気ファンのみを洗浄する場合には、
前記給気ファン給水手段と前記給気ファンを停止し、前記給気ファン排液弁と前記排気ファン給水手段を閉とし、前記第二の排気ファン給水手段から洗浄液を給水し、前記排気ファンを回転させ、前記排気ファン排液弁を閉とすることを特徴とする請求項１または３のいずれか一つに記載のレンジフード。
【発明の詳細な説明】
【技術分野】
【０００１】
本発明は、給排気機能を持つレンジフードの外気集塵部の清掃に関するものである。
【背景技術】
【０００２】
従来、この種のレンジフードは、図１０に示すように、下方開口部１０１から室内の空気を吸引し、本体上部の排気口１０２から排出するレンジフード本体１０３と、前記レンジフード本体１０３上部に設置された排気流ダクト１０４に接続され、レンジフード本体１０３上部の排気口１０２を覆うように取り付けられた排気流チャンバ１０５と、前記レンジフード本体１０３の上部に設置され、外気を室内に供給する給気流ダクト１０６に接続された給気流チャンバ１０７とを備えている。レンジフード本体１０３を運転して、室内空気を排気する際に、給気流チャンバ１０７から室外の空気を供給することができるため、室外に比べて室内が大幅に負圧になることがなく、効率的に換気を行うことができるものであった（例えば、特許文献１を参照）。
【先行技術文献】
【特許文献】
【０００３】
【特許文献１】実公平０１−０２３０５７号公報
【発明の概要】
【発明が解決しようとする課題】
【０００４】
このような従来のレンジフードにおいては、給気流チャンバから室外の空気を供給することはできるが、外気が塵埃や蝿や蚊等の物質を含んでいる場合には、それらを室内に導入してしまうという課題があった。
【０００５】
また、不快な物質の屋内への侵入を阻む手段（給気側捕集部、フィルタ）を施す際には、特に外気導入時に侵入を防ぐため、粗大な塵埃や虫を多く捕集することになる。それによりフィルタの目詰まりが発生して、給気風量が急速に低下してしまう。したがってメンテナンスは頻繁に行う必要が生じるが、高所にあるレンジフードにおいてはそのメンテナンスも困難なものであった。
【０００６】
そこで、排気ファンの洗浄と同様に給気ファンの洗浄を行なうことを検討したところ、給気ファンの洗浄と排気ファンの洗浄を行なうと、使用する水の量が増えて給水作業が増大してしまうということが課題を見出した。
【０００７】
そこで本発明は、上記従来の課題を解決するものであり、給気ファンの洗浄後に洗浄液を排気ファンの洗浄にも用いることができるため、少ない洗浄液で効率的な洗浄が可能となり、作業者のレンジフードへの給水作業を低減することができるレンジフードを提供することを目的としている。
【課題を解決するための手段】
【０００８】
そして、この目的を達成するために、本発明は、本体上部に備え屋外へ連通する排気口および給気口と、室内に連通する上部開口部および下部開口部と、排気ファンを配置し前記下部開口部から室内の空気を吸引し、第１の通風路を通じて前記排気口から空気を排出する排気ユニットと、給気ファンを配置し前記給気口から外気を導入し、第２の通風路を通じて前記上部開口から室内に供給する給気ユニットと、前記上部開口の上流側において前記第２の通風路を横断する外気集塵部とを備えた給排気機能を持つレンジフードであって、前記排気ユニットには、前記排気ファンに加えて、排気ファンケーシングと、排気ファン洗浄ケーシングと、排気ファン給水手段と、排気ファン排液弁と、排気ファン排液貯留手段とを備え、前記給気ユニットには、前記給気ファンに加えて、給気ファンケーシングと、給気ファン洗浄ケーシングと、給気ファン給水手段と、給気ファン排液弁と、給気ファン排液手段とを備え、前記外気集塵部はメインフィルタとプレフィルタからなり、少なくとも前記プレフィルタは前記給気ファン洗浄ケーシング内に配置され、前記給気ファンケーシングの下流にある給気流出口を給気ファンよりも高い位置に配置し、前記給気ファン排液手段から前記排気ファン洗浄給水手段へ洗浄液が供給されることを特徴とする給排気機能を持つものであり、これにより所期の目的を達成するものである。
【発明の効果】
【０００９】
本発明によれば給気ファンの洗浄後に洗浄液を排気ファンの洗浄にも用いることができるため、少ない洗浄液で効率的な洗浄が可能となり、作業者のレンジフードへの給水作業を低減することができるレンジフードを提供することができる。
【図面の簡単な説明】
【００１０】
【図１】本発明の実施の形態１のレンジフードを示す正面構成図
【図２】同レンジフードの側面構成図
【図３】同レンジフードの図２におけるＡ−Ａ‘断面から見た構成図
【図４】同レンジフードの側面断面構成図
【図５】同レンジフードの羽根車の種類図
【図６】同レンジフードの羽根車の斜方向製図
【図７】本発明の実施の形態２の第一の制御部接続図
【図８】同レンジフードの各洗浄モードにおける第一の制御部の動作と洗浄液所在および洗浄箇所を示す図
【図９】本発明の実施の形態３の第二の制御部接続図
【図１０】従来のレンジフードの側面断面構成図
【発明を実施するための形態】
【００１１】
本発明の請求項１に係わるレンジフードは、本体上部に備え屋外へ連通する排気口および給気口と、室内に連通する上部開口部および下部開口部と、排気ファンを配置し前記下部開口部から室内の空気を吸引し、第１の通風路を通じて前記排気口から空気を排出する排気ユニットと、給気ファンを配置し前記給気口から外気を導入し、第２の通風路を通じて前記上部開口から室内に供給する給気ユニットと、前記上部開口の上流側において前記第２の通風路を横断する外気集塵部とを備えた給排気機能を持つレンジフードであって、前記排気ユニットには、前記排気ファンに加えて、排気ファンケーシングと、排気ファン洗浄ケーシングと、排気ファン給水手段と、排気ファン排液弁と、排気ファン排液貯留手段とを備え、前記給気ユニットには、前記給気ファンに加えて、給気ファンケーシングと、給気ファン洗浄ケーシングと、給気ファン給水手段と、給気ファン排液弁と、給気ファン排液手段とを備え、前記外気集塵部はメインフィルタとプレフィルタからなり、少なくとも前記プレフィルタは前記給気ファン洗浄ケーシング内に配置され、前記給気ファン排液手段から前記排気ファン洗浄給水手段へ洗浄液が供給されることを特徴とする給排気機能を持つものである。
【００１２】
これにより、前記プレフィルタと前記給気ファンの洗浄後に洗浄液を前記排気ファンの洗浄にも用いることができるため、少ない洗浄液で効率的な洗浄が可能となり、作業者のレンジフードへの給水作業を低減することができる。また、レンジフード本体の上部に、メインフィルタと、フィルタ収納部とプレフィルタが備えられているため、故障時にも室内から一括してメンテナンスすることができ、従来技術の範疇のように屋外での高所メンテナンス作業をする必要がなく、取り扱い性に優れるという効果を得ることができる。
【００１３】
また、請求項２に係わるレンジフードは、前記給気ファンケーシングの下流にある給気流出口を前記給気ファンより高い位置に配置したものである。
【００１４】
これにより、前記プレフィルタと前記給気ファンの洗浄時に洗浄液が給気流出口からレンジフード外へ溢れることを防止することができる。
【００１５】
また、本発明の請求項３に係わるレンジフードは、前記給気ファン給水手段と、前記給気ファンと、前記給気ファン排液弁と、前記排気ファン給水手段と、前記排気ファンと、前記排気ファン排液弁とを制御する第一の制御部を備え、前記制御部は、前記給気ファン給水手段からの洗浄液で前記給気ファンを洗浄しながら即座に前記排気ファン排液貯留手段へ洗浄液を輸送する第一の洗浄モードと、前記給気ファン給水手段からの洗浄液で前記給気ファンのみを洗浄する第二の洗浄モードと、前記排気ファン給水手段からの洗浄液で前記排気ファンのみを洗浄する第三の洗浄モードと、排液モードを有し、前記第一の洗浄モードでは、前記第一の制御部は前記給気ファン排液弁を開とし、前記給気ファンを回転させ、前記給水手段から洗浄液を給水する一方で、前記排気ファン給水手段を流通させ、前記排気ファン排液弁を開とし、前記第二の洗浄モードでは、前記第一の制御部は前記給気ファン排液弁を閉とし、前記給気ファンを回転させ、前記給気ファン給水手段から洗浄液を給水し、前記第三の洗浄モードでは、前記第一の制御部は前記排気ファン排液弁を閉とし、前記排気ファンを回転させ、前記排気ファン給水手段を流通させ、前記給気ファン排液弁を開にすることで洗浄液を給水することを特徴とするものである。
【００１６】
これにより、第一モードにより前記プレフィルタと前記給気ファンに付着していた粗大な汚れを即座に前記排気ファン排液貯留手段に輸送することができるため、再付着といった汚れの戻りが抑制でき、前記プレフィルタや前記給気ファンの洗浄効果を高めることができる。
【００１７】
また、本発明の請求項４に係わるレンジフードは、前記外気集塵部の目詰まり状態を検知する外気集塵部目詰まりセンサと、外気集塵部お手入れ表示手段と、第二の制御部を設け、前記第二の制御部は、前記外気捕集部目詰まりセンサと、前記給気ファン給水手段と、前記給気ファンと、前記給気ファン排液弁と、前記排気ファン給水手段と、前記第二の排気ファン給水手段と、前記排気ファンと、前記排気ファン排液弁と、外気集塵部お手入れ表示手段を制御し、前記外気捕集部目詰まりセンサの出力に応じて、前記給気ファンとプレフィルタの洗浄後に前記排気ファンを洗浄する前記第一から第三の洗浄モードと、前記排気ファンのみを洗浄する洗浄モードを有し、前記給気ファンとプレフィルタの洗浄後に排気ファンを洗浄する場合には前記第一の洗浄モードでは、前記第一の制御部は前記給気ファン排液弁を開とし、前記給気ファンを回転させ、前記給水手段から洗浄液を給水する一方で、前記排気ファン給水手段を流通させ、前記排気ファン排液弁を開とし、前記第二の洗浄モードでは、前記第一の制御部は前記給気ファン排液弁を閉とし、前記給気ファンを回転させ、前記給気ファン給水手段から洗浄液を給水し、前記第三の洗浄モードでは、前記第一の制御部は前記排気ファン排液弁を閉とし、前記排気ファンを回転させ、前記排気ファン給水手段を流通させ、前記給気ファン排液弁を開にすることで洗浄液を給水し、前記排気ファンのみを洗浄する場合には、前記給気ファン給水手段と前記給気ファンを停止し、前記給気ファン排液弁と前記排気ファン給水手段を閉とし、前記第二の排気ファン給水手段から洗浄液を給水し、前記排気ファンを回転させ、前記排気ファン排液弁を閉とすることを特徴とするものである。
【００１８】
これにより、前記外気集塵部目詰まりセンサにより、洗浄が必要な箇所のみに限定できるため、限定された洗浄可所における洗浄力がさらに向上できる。さらに、前記外気集塵部お手入れ表示手段により、自動水洗浄のみで目詰まりが解消されなかった場合に作業者にメンテナンスをお知らせすることができる。
【００１９】
以下、本発明の実施の形態について図面を参照しながら説明する。
【００２０】
（実施の形態１）
本実施の形態の給排気機能付きレンジフード１は、正面から見た図１および側面から見た図２に示すように、本体上部に屋外へ連通する排気口４および給気口２３と、室内に連通する上部開口部２４および下部開口部８とを備えている。また、図３に示すように、内部には、排気ファン１１を配置し、下部開口部８から室内の空気を吸引し、第１の通風路９を通じて排気口４から空気を排出する排気ユニット２と、給気ファン２６を配置し、給気口２３から外気を導入し、第２の通風路２５を通じて上部開口部２４から室内に供給する給気ユニット２２と、給気口２３の室内側において第２の通風路２５を横断する外気集塵部４０とを備えたものである。作業者は、レンジフード正面にある操作部４４により、排気ユニット２と給気ユニット２２に指令信号を出し、制御することができる。
【００２１】
以下、排気ユニット２、給気ユニット２２、外気集塵部４０の順に説明する。
【００２２】
まず、排気ユニット２は、図２に示すように、壁面３に設置し、排気口４に排気ダクト５を接続して屋外と連通している。排気ユニット２は、なべ等の調理器具６の上方で調理器具６から発生する油煙を捕集できるようにフード部７を備えた箱体であって、フード部７の下面に下部開口部８を備えている。
【００２３】
図３に示すように、下部開口部８と排気口４を結ぶ第１の通風路９に、電動機１０と連動した排気ファン１１と、排気ファンケーシング１２と、排気ファン洗浄ケーシング１３と、排気ファン給水手段１４と、排気ファン排液弁１５と、排気ファン排液貯留手段１６とを備えている。
【００２４】
排気ファンケーシング１２には、図４に示すように、送風のための排気流入口１７と排気流出口１８が備えられている。排気ファン洗浄ケーシング１３は排気ファンケーシング１２の内側にあり、排気ファンケーシング１２と同形状もしくは、排気ファンケーシング１２の一部であり、排気ファン給水手段１４からの洗浄液が外部に漏洩することを防ぐために備えられている。排気ファンケーシング１２が排気ファン洗浄ケーシング１３を兼ねる構成としても良い。
【００２５】
排気ファン給水手段１４は、洗浄液を排気ファン洗浄ケーシング１３内に給水する。
【００２６】
排気ファン排液弁１５は、排気ファン洗浄ケーシング１３の底面の最下部にあることが望ましく、バルブ形状やモーター駆動式の栓を用いた構造をとり、排気ファン排液弁１５の開閉により、排気ファン洗浄ケーシング１３内に洗浄液を貯める、もしくは排気ファン排液貯留手段１６に洗浄液を導くために備えられている。
【００２７】
排気ファン排液貯留手段１６は、排気ファン洗浄ケーシング１３外にあって、トレイやタンク形状で排気ファン排液弁１５からの洗浄液を貯えるもの、もしくはシンクなどの水場の排水口につながっている形態などである。
【００２８】
排気ファン１１は遠心ファンであり、図５に示すような種類を用いることができる。本発明において排気ファン１１は図６に示すようなシロッコファンを例に用いて説明する。シロッコファンは、少なくとも複数のブレード１９と環状の側板２０と円形の主板２１で構成されている。ブレード１９は、排気流入口１７側に位置する側板２０と電動機１０側に位置する主板２１によって両端部を挟み込むようにして配置している。前記ブレード１９は、主板２１上の外周部に立設し、円環状に複数を配置している。すなわちブレード１９は同一円周上に配置されている。そしてブレード１９は、排気ファン１１の外周から内周へ向けた直線状の流路が所定の角度範囲で隣のブレード１９に干渉しないように、隙間を開けて配置している。
【００２９】
上記構成により、調理時の油煙や室内の塵埃を排気する際に、排気ユニット２は、電動機１０の回転にしたがって排気ファン１１が回転し、送風がされ、下部開口部８から室内の空気を排気口４と排気ダクト５を通って排気されることで室内の油煙や塵埃濃度を高くすることを防いでいる。その一方で、排気ファン１１には送風時に通過した油煙や塵埃などが付着してしまう。これらが排気ファン１１に蓄積されると圧力損失を招き、排気風量が低下してしまう。したがって、これらの汚れを除去する手段が求められる。これに対し、排気ユニット２は排気ファン排液弁１５を閉じ、作業者が外部から投入した洗浄液を排気ファン給水手段１４から排気ファン洗浄ケーシング１３内に給水することで、排気ファン洗浄ケーシング１３内部に洗浄液を貯水し、その上で排気ファン１１を回転することにより、蓄積した汚れの洗浄を可能にしている。洗浄後は排気ファン排液弁１５を開け、貯水されていた洗浄液を排気ファン排液貯留手段１６に導き、排気ファン洗浄ケーシング１３の外へと洗浄液を移動させる。最後に排気ファン１１の送風により洗浄液の乾燥工程を行う。上記工程により、長期間排気風量の低下の無い排気ユニット２を提供している。
【００３０】
続いて、給気ユニット２２を説明する。
【００３１】
図１から図４に示すように、給気ユニット２２は、排気ユニット２の上部または周辺に設置され、屋外に接続された給気ダクト３６につながる給気口２３と上部開口部２４とを結ぶ第２の通風路２５と、図3に示す第２の通風路２５内に配置した給気ファン２６と給気ファンケーシング２７と給気ファン洗浄ケーシング２８と、給気ファン排液弁３０と、給気ファン排液手段３１と、図４に示すように排気ユニット２と給気ユニット２２に跨って備えた給気ファン給水手段２９とを備えている。
【００３２】
給気ファン２６は排気ファン１１と同様に遠心ファンである。
【００３３】
図４に示すように、給気ファンケーシング２７には、送風のための給気流入口３２と給気ファン２６下流側に給気流出口３３が備えられており、内部にある給気ファン２６が回転することで流入する外気は給気ファンケーシング２７の給気流入口３２から入り、給気流出口３３から室内に供給される。
【００３４】
給気流出口３３は、給気ファン２６の高さ位置から勾配を持たることで、給気ファン２６よりも上部に配置させている。これにより給水、貯水、排水時に給気流出口３３からの水跳ねや水漏れを作業者側に流出させるのを防ぐことができる。給気流出口３３は、鉛直面内に配置したが、水平面内に配置してもよい。この際には、給気流出口３３と上部開口部２４を給気流出ダクト（図示せず）で接続して、給気ユニット２２の前方へ給気できるようにすることが望ましい。
【００３５】
給気ファン洗浄ケーシング２８は、給気ファンケーシング２７の内側にあり、給気ファンケーシング２７と同形状もしくは、給気ファンケーシング２７の一部の形状であり、給気ファン給水手段２９からの洗浄液が外部に漏洩することを防ぐために備えられている。
【００３６】
給気ファン給水手段２９は、洗浄ノズル形状の噴射口３４と、ポンプ３５と、給水トレイ３７と、それらをつなぐ配管３８からなるものが好ましい。
【００３７】
噴射口３４は、１つもしくは複数備えてもよく、噴射口３４の少なくとも１つは、後述するプレフィルタ４１の上方に配置し、その他の噴射口３４は、給気ファン２６上方にも配置しても良く、作業者が外から投入した洗浄液を給気ファン給水手段２９により、プレフィルタ４１や給気ファン２６に散水しながら給気ファン洗浄ケーシング２８内に給水するものである。
【００３８】
給気ファン排液弁３０は、バルブ形状やモーター駆動式の栓を用いた構造をとり、給気ファン排液弁３０の開閉により、給気ファン洗浄ケーシング２８内に洗浄液を貯める、もしくは給気ファン排液手段３１に洗浄液を導くために備えられている。
【００３９】
給気ファン排液弁３０および給気ファン排液手段３１は、給気ファン洗浄ケーシング２８の底面最下部に位置することが望ましく、排液時の残水を少なくすることができる。
【００４０】
外気集塵部４０は、給気ファン２６よりも下流側で第２の通風路２５を横断して位置しており、外気が室内に導入される際に外気中の汚れを捕集するために備えられている。また、外気集塵部４０は、主に粗大な塵埃や虫などの侵入を防ぐプレフィルタ４１と、Ｐ.Ｍ．２．５など微小な汚れの侵入を防ぐメインフィルタ４２とで構成されている。
【００４１】
プレフィルタ４１は、数ミリメートルの空孔を持った格子状であり、材質は樹脂や金属といった水洗浄可能な材質からなり、給気ファン洗浄ケーシング２８内部で、給気ファン２６の下流側に位置している。これによりプレフィルタ４１の汚れが良く付着する上流面を洗浄工程で除去することができる。また、給気ファン２６の近傍に位置させた方が好ましく、貯水時の給気ファン２６の洗浄時にプレフィルタ４１へも水流が届き、洗浄を促進させることができる。プレフィルタ４１を給気ファン２６の上流に位置させても良いが洗浄効果は大きく低下すると考えている。
【００４２】
メインフィルタ４２の材質には制約はないが、水濡れにより変形やフィルタ性能が低下する場合には、給水、貯水、排水時に水との接触がない給気流出口３３に位置していることが望ましい。
【００４３】
上記構成により、排気ユニット２が稼動して室内の空気を排気する際に、給気ユニット２２は給気ファン２６が回転し、送風がされ、給気ダクト３６から外気集塵部４０を通り、室内に空気が給気されるので、排気ファン１１による排気にしたがって室内が負圧になるのを防ぎ、かつ空気浄化された空気により室内の空気質を高めることができる。その一方で、給気ファン２６には送風時に通過した外気に含まれている汚染物質が付着してしまう。また、プレフィルタ４１には粗大な塵埃や虫などの大きな汚れがプレフィルタ４１の目を塞いでしまう。これらの汚れが蓄積すると圧力損失を招き、給気風量が低下してしまう。したがって、これらの汚れを除去する手段が求められる。
【００４４】
これに対し給気ユニット２２は、給気ファン排液弁３０を閉じ、給気ファン給水手段２９からプレフィルタ４１もしくは給気ファン２６に向け洗浄液を噴射し、給気ファン洗浄ケーシング２８内に給水することで、プレフィルタ４１や給気ファン２６の汚れを落としながら、給気ファン洗浄ケーシング２８内部に洗浄液を貯水し、その上で給気ファン２６を回転することにより、給気ファン２６に蓄積した汚れを洗浄することが可能となる。洗浄後は給気ファン排液弁３０を開け、貯水されていた洗浄液を給気ファン排液手段３１に導くことで給気ファン洗浄ケーシング２８外へと移動させる。最後に給気ファン２６の送風により洗浄液の乾燥工程を行う。上記工程により、長期間給気風量の低下の少ない給気ユニット２２を提供する。
【００４５】
さらに本実施の形態においては、図４で示すように、給気ファン排液弁３０から排気ファン給水手段１４への送液流路４３として給気ファン排液手段３１を備えた給排気機能を持つレンジフードである。
【００４６】
すなわち、送液流路４３は、排気ファン洗浄ケーシング１３とその上方にある給気ファン洗浄ケーシング２８とを連結した構成となる。送液流路４３は曲がりやねじれが無く、排気ファン給水手段１４と給気ファン排液手段３１とを直線的に結ぶことが望ましく、その断面の径は１０ｍｍ以上が好ましく、流路長さ方向に対して勾配を持たない方が良い。これにより、除去した汚れが送液流路４３内で詰まることを防ぐことができる。
【００４７】
また、送液流路４３と接続された排気ファン給水手段１４は、排気ファンケーシング１２の上部に位置し、排気ファン１１の真上を避けた位置が好ましい、これは送液流路４３の長さが最短になる上で、プレフィルタ４１や給気ファン２６で除去した汚れの中で密度の大きなもの（小石など）を排気ファン１１にぶつけて排気ファン１１の形状が歪むことを避けるためである。排気ファン１１を避けることで排気ファン給水手段１４から投入される密度の大きな汚れは排気ファン洗浄ケーシング１３の最下部に沈み、排液時に排気ファン洗浄ケーシング１３最下部にある排気ファン排液弁１５から排気ファン排液貯留手段１６に導かれる。
【００４８】
この構成により、洗浄時にはまず給気ファン排液弁３０を閉じ、給気ファン給水手段２９から洗浄液をプレフィルタ４１と給気ファン２６に噴射し、給気ファン洗浄ケーシング２８内に洗浄液を貯水し、給気ファン２６を洗浄する。その後、給気ファン排液弁３０を開けることで、洗浄液は給気ファン洗浄ケーシング２８の外にある給気ファン排液手段３１に排液される。給気ファン排液手段３１により排液された洗浄液は送液流路４３を通り、排気ファン給水手段１４に送液される。次に排気ファン排液弁１５を閉じ、排気ファン給水手段１４から排気ファン洗浄ケーシング１３内に洗浄液を貯水し、排気ファン１１を洗浄することができる。排気ファン１１の洗浄後は排気ファン排液弁１５を開けることにより洗浄液を排気ファン排液貯留手段１６へと排出することで洗浄を終える。洗浄後の乾燥工程では給気ファン２６と排気ファン１１を回転し、送風させることで乾燥を行う。以上の工程とすることで、少ない洗浄液で効率的な洗浄が可能となり、作業者のレンジフードへの給水作業を低減することができる。
【００４９】
つまり、給気ファンの洗浄後に洗浄液を排気ファンの洗浄にも用いることができるため、少ない洗浄液で効率的な洗浄が可能となり、作業者のレンジフードへの給水作業を低減することができるレンジフードを提供することができる。
【００５０】
なお、上記洗浄において、洗浄液は洗剤が混入されているものがより好ましく、洗浄力が強化され、再付着を抑制することができる。また、洗浄液は温水または加熱水が好ましく、作業者が温水または加熱水をレンジフード１に給水する、または給気ファン洗浄ケーシング２８、排気ファン洗浄ケーシング１３、または給気ファン給水手段２９、排気ファン給水手段１４において加熱ヒータで構成される加熱部が設けられているものが好ましく、洗浄液が高温になることで、排気ファン１１や給気ファン２６もしくはプレフィルタ４１の洗浄力が強化される。温水は40℃以上が好ましく、さらに好ましくは60℃以上である。また、ポンプ３５はより高圧になるものが好ましく、噴射口３４からの噴射洗浄液に水圧を持たせることで、給気ファン２６やプレフィルタ４１の洗浄力が強化される。
【００５１】
（実施の形態２）
以下、洗浄を行なう実施の形態を説明する。
【００５２】
実施の形態２のレンジフード１は、図７に示すように、操作部４４と、給気ファン給水手段２９と、給気ファン２６と、給気ファン排液弁３０と、排気ファン給水手段１４と、排気ファン１１と、排気ファン排液弁１５とを電気的に接続された第一の制御部４５を備えたものである。
【００５３】
第一の制御部４５は、作業者が操作部４４で洗浄を指令した際に、プレフィルタ４１と給気ファン２６および排気ファン１１を洗浄する一連の洗浄工程を第一の洗浄モード、第二の洗浄モード、第三の洗浄モードおよび乾燥工程と移行していくことで、プレフィルタ４１および給気ファン２６と排気ファン１１の洗浄効果をさらに高めることができるものである。
【００５４】
一連の洗浄工程を図８にしたがって記述する。
【００５５】
第一の洗浄モードは、プレフィルタ４１および給気ファン２６の粗大な汚れを洗浄するモードである。
【００５６】
第一の制御部４５は、給気ファン排液弁３０を開とし、給気ファン２６を回転させ、給気ファン給水手段２９から洗浄液を給水する一方で、排気ファン給水手段１４を開とし、排気ファン排液弁１５を開とする。これにより、給気ファン給水手段２９から噴射された洗浄液でプレフィルタ４１および給気ファン２６の粗大塵埃や虫などの大きな汚れを洗浄除去する。
【００５７】
このとき洗浄液と除去された汚れは、給気ファン洗浄ケーシング２８から、給気ファン排液弁３０と給気ファン排液手段３１および排気ファン給水手段１４を通って、排気ファン洗浄ケーシング１３に導かれ、そこから排気ファン排液弁１５を通って、排気ファン洗浄ケーシング１３外にある排気ファン排液貯留手段１６へと送液される。
【００５８】
つまり、プレフィルタ４１や給気ファン２６から除去した粗大な汚れを、洗浄後速やかに排気ファン排液貯留手段１６に導くことで給気ファン２６やプレフィルタ４１および排気ファン１１への汚れ付着（再付着）を防ぐことができる。
【００５９】
第二の洗浄モードは、プレフィルタ４１および給気ファン２６の細かな汚れを十分に洗浄するモードである。
【００６０】
第一の制御部４５は、給気ファン排液弁３０と排気ファン給水手段１４を閉とし、給気ファン２６を回転させ、給気ファン給水手段２９から洗浄液を給水する。これにより、給気ファン給水手段２９から噴射された洗浄液は、プレフィルタ４１と給気ファン２６の洗浄をしながら、給気ファン洗浄ケーシング２８内に貯水される。
【００６１】
つまり、貯水中に給気ファン２６を回転させることにより、給気ファン２６の洗浄を促進させ、細かな塵埃などの汚れも洗浄することができるため、給気ファン２６やプレフィルタ４１の洗浄効果を高めることができる。
【００６２】
第三の洗浄モードでは、排気ファン１１の汚れを洗浄するモードである。
【００６３】
第一の制御部４５は、排気ファン排液弁１５を閉とし、排気ファン１１を回転させ、排気ファン給水手段１４を流通させ、給気ファン排液弁３０を開にする。これにより、給気ファン洗浄ケーシング２８に貯水されていた洗浄液は、給気ファン排液弁３０が開くことで給気ファン排液手段３１および排気ファン給水手段１４を通って、排気ファン洗浄ケーシング１３に貯水される。その後、排気ファン１１の回転により、排気ファン１１の洗浄が可能となる。
【００６４】
つまり、給気ファン２６とプレフィルタ４１の洗浄で使用した洗浄液を排気ファンの洗浄に用いることができるため、洗浄で使用する洗浄液の水量を大幅に削減することができる。
【００６５】
第一の制御部４５は、第三の洗浄モード後、乾燥工程を行なうこととなる。
【００６６】
第一の制御部４５は、給気ファン給水手段２９を停止し、給気ファン２６を回転させ、給気ファン排液弁３０を閉じ、排気ファン給水手段１４を閉じ、排気ファン１１を回転させ、排気ファン排液弁１５を閉じることで、給気ファン２６とプレフィルタ４１および排気ファン１１が通風状態となり、乾燥がさせることができる。
【００６７】
上記第一の洗浄モードから第三の洗浄モードおよび乾燥工程を行なうことにより、洗浄液の使用を大幅に削減しつつ、給気ファン２６とプレフィルタ４１の洗浄効果を高めることができる。
【００６８】
（実施の形態３）
一般に排気ファン１１は、調理時に発生する油煙など空気中の汚れが多く付着するため、給気ファン２６に比べて洗浄の必要性が高くなる。給気ファン２６の洗浄が不要な場合には、排気ファン１１のみを洗浄すれば効率的な洗浄を行うことができる。
【００６９】
そこで、洗浄箇所を特定して、効率的な洗浄を行なう実施の形態について説明する。
【００７０】
実施の形態３のレンジフードは、図９に示すように、外気集塵部４０の目詰まり状態を検知する外気集塵部目詰まりセンサ４６と、外気集塵部お手入れ表示手段４７と、第二の制御部４８を設けたことを特徴とする。
【００７１】
外気集塵部目詰まりセンサ４６は、外気集塵部４０上流および下流両方もしくは片方に圧力計を設け、外気集塵部４０上流と下流の圧力差もしくは片方の圧力を測定し規定の圧力差もしくは圧力に達した場合に、目詰まりが規定量を超えたと判定するシステム、もしくは、外気集塵部４０の重量を測定し、規定の重量に達した場合に、目詰まり量が規定量を超えたと判定するシステム、カメラを内蔵し画像判定で目詰まり量を判定するシステムなどで実現することができる。
【００７２】
外気集塵部お手入れ表示手段４７は、作業者に外気集塵部４０のメンテナンスの必要性をお知らせするために、操作部４４もしくはその近傍に、LEDなどのランプを点灯または点滅させる、また音を発するものである。
【００７３】
第二の制御部４８は、外気集塵部目詰まりセンサ４６と、給気ファン給水手段２９と、給気ファン２６と、給気ファン排液弁３０と、排気ファン給水手段１４と、排気ファン１１と、排気ファン排液弁１５と、外気集塵部お手入れ表示手段４７を電気的な接続で制御するものである。また、第二の制御部４８は、作業者が操作部４４で洗浄を指令した際に洗浄開始前に外気集塵部目詰まりセンサ４６の出力に応じて、給気ファン２６とプレフィルタ４１の洗浄後に排気ファン１１を洗浄する第一から三の洗浄モードを行う場合と、排気ファン１１のみを洗浄する場合を制御するものである。
【００７４】
まず、排気ファン１１に加えて給気ファン２６の洗浄も必要な場合について説明をする。
【００７５】
すなわち、作業者が操作部４４から洗浄の指令を出した際に、外気集塵部目詰まりセンサ４６から第二の制御部４８に送られた信号が目詰まりの規定値を超えている場合には以下の洗浄工程を行う。
【００７６】
第一の洗浄モードでは、プレフィルタ４１および給気ファン２６の粗大な汚れを洗浄するモードであり、第一の制御部４５は給気ファン排液弁３０を開とし、給気ファン２６を回転させ、給気ファン給水手段２９から洗浄液を給水する一方で、排気ファン給水手段１４を開とし、排気ファン排液弁１５を開とする。これにより、給気ファン給水手段２９から噴射された洗浄液でプレフィルタ４１および給気ファン２６の粗大塵埃や虫などの大きな汚れを洗浄除去する。洗浄液と除去された汚れは、給気ファン洗浄ケーシング２８から、給気ファン排液弁３０と給気ファン排液手段３１および排気ファン給水手段１４を通って、排気ファン洗浄ケーシング１３に導かれ、そこから排気ファン排液弁１５を通って、排気ファン洗浄ケーシング１３外にある排気ファン排液貯留手段１６へと送液される。つまり、プレフィルタ４１や給気ファン２６から除去した粗大な汚れを、洗浄後速やかに排気ファン排液貯留手段１６に導くことで給気ファン２６やプレフィルタ４１および排気ファン１１への汚れ付着（再付着）を防ぐことができる。
【００７７】
第二の洗浄モードでは、プレフィルタ４１および給気ファン２６の細かな汚れを十分に洗浄するモードであり、第一の制御部４５は給気ファン排液弁３０と排気ファン給水手段１４を閉とし、給気ファン２６を回転させ、給気ファン給水手段２９から洗浄液を給水する。これにより、給気ファン給水手段２９から噴射された洗浄液は、プレフィルタ４１と給気ファン２６の洗浄をしながら、給気ファン洗浄ケーシング２８内に貯水される。さらに、貯水中の給気ファン２６の回転により、給気ファン２６の洗浄を促進させ、細かな塵埃などの汚れも洗浄することができるため、給気ファン２６やプレフィルタ４１の洗浄効果を高めることができる。
【００７８】
第三の洗浄モードでは、排気ファン１１の汚れを洗浄するモードであり、第一の制御部４５は排気ファン排液弁１５を閉とし、排気ファン１１を回転させ、排気ファン給水手段１４を流通させ、給気ファン排液弁３０を開にする。これにより、給気ファン洗浄ケーシング２８に貯水されていた洗浄液は、給気ファン排液弁３０が開くことで給気ファン排液手段３１および排気ファン給水手段１４を通って、排気ファン洗浄ケーシング１３に貯水される。その後、排気ファン１１の回転により、排気ファン１１の洗浄が可能となる。つまり、給気ファンとプレフィルタの洗浄で使用した洗浄液を排気ファンの洗浄に用いることができるため、洗浄で使用する洗浄液の水量を大幅に削減することができる。
【００７９】
第三の洗浄モード後、第一の制御部４５は、給気ファン給水手段２９を停止し、給気ファン２６を回転させ、給気ファン排液弁３０を閉じ、排気ファン給水手段１４を閉じ、排気ファン１１を回転させ、排気ファン排液弁１５を閉じることで、給気ファン２６とプレフィルタ４１および排気ファン１１が通風状態となり、乾燥がさせることができる。乾燥工程後、再び外気集塵部目詰まりセンサ４６を作動させ、再度、外気集塵部４０が目詰まりしていると判定された場合には、洗浄で除去困難な汚れで目詰まりしていることや、メインフィルタ４２が目詰まりしていることなどが考えられ、作業者による清掃やメンテナンスが必要となり、外気集塵部お手入れ表示手段４７で作業者にお知らせを行う。上記工程により、プレフィルタ４１と給気ファン２６の洗浄が必要な時に洗浄ができ、また洗浄において除去困難な目詰まりが発生し、メンテナンスが必要な場合には、作業者にお知らせすることが可能となる。
【００８０】
次に、給気ファン２６の洗浄が不要な場合について説明をする。
【００８１】
すなわち、作業者が操作部４４から洗浄の指令を出した際に、外気集塵部目詰まりセンサ４６から第二の制御部４８に送られた信号が目詰まりの規定値を超えていない場合には以下の洗浄工程を行う。
【００８２】
第二の制御部４８により、まず給気ファン給水手段２９から給水をし、給気ファン２６を停止し、給気ファン排液弁３０を開とし、排気ファン給水手段１４を開とし、排気ファン１１を回転させ、排気ファン排液弁１５を閉とする。これにより、給気ファン給水手段２９から給水された洗浄液は給気ファン洗浄ケーシング２８には貯水されず、即座に、排気ファン洗浄ケーシング１３に貯水され、排気ファン１１の回転により、排気ファン１１に付着した汚れを洗浄することができる。洗浄後は、排気ファン給水手段１４を閉じ、排気ファン１１を回転させ、排気ファン排液弁１５を閉じることで、給気ファン２６とプレフィルタ４１および排気ファン１１が通風状態となり、乾燥がさせることができる。
【００８３】
上記工程により、外気集塵部目詰まりセンサ４６により、給気ファン２６とプレフィルタ４１の洗浄を省くことでレンジフード１全体としての洗浄時間を短縮することができる。また、作業者がレンジフード１に給水する洗浄液が温水の場合には、排気ファン１１への給水が速やかにでき、洗浄液の温度低下をさせず排気ファン１１の洗浄が可能なので洗浄効果を高めることができる。
【００８４】
つまり、上記洗浄モードを外気集塵部目詰まりセンサ４６で制御することで、洗浄箇所を特定し、効率的な洗浄かつ洗浄効果を高めることが可能となる。
【産業上の利用可能性】
【００８５】
本発明にかかるレンジフードは、給排機能付きレンジフード１において洗浄工程によりファンとフィルタの目詰まりによる風量低下を抑制できるものであり、同様の機能が付いた換気装置等にも適用することができる。
【符号の説明】
【００８６】
１    レンジフード
２    排気ユニット
３    壁面
４    排気口
５    排気ダクト
６    調理器具
７    フード部
８    下部開口部
９    第１の通風路
１０    電動機
１１    排気ファン
１２    排気ファンケーシング
１３    排気ファン洗浄ケーシング
１４    排気ファン給水手段
１５    排気ファン排液弁
１６    排気ファン排液貯留手段
１７    排気流入口
１８    排気流出口
１９    ブレード
２０    側板
２１    主板
２２    給気ユニット
２３    給気口
２４    上部開口部
２５    第２の通風路
２６    給気ファン
２７    給気ファンケーシング
２８    給気ファン洗浄ケーシング
２９    給気ファン給水手段
３０    給気ファン排液弁
３１    給気ファン排液手段
３２    給気流入口
３３    給気流出口
３４    噴射口
３５    ポンプ
３６    給気ダクト
３７    給水トレイ
３８    配管
４０    外気集塵部
４１    プレフィルタ
４２    メインフィルタ
４３    送液流路
４４    操作部
４５    第一の制御部
４６    外気集塵部目詰まりセンサ
４７    外気集塵部お手入れ表示手段
４８    第二の制御部
１０１    下方開口部
１０２    排気口
１０３    レンジフード本体
１０４    排気流ダクト
１０５    排気流チャンバ
１０６    給気流ダクト
１０７    給気流チャンバ
【図１】
2018063057.tif 000003
【図２】
2018063057.tif 000004
【図３】
2018063057.tif 000005
【図４】
2018063057.tif 000006
【図５】
2018063057.tif 000007
【図６】
2018063057.tif 000008
【図７】
2018063057.tif 000009
【図８】
2018063057.tif 000010
【図９】
2018063057.tif 000011
【図１０】
2018063057.tif 000012